(57)【要約】【課題】テレビジョン受信機能や映像コンテンツ再生機能等の映像表示機能をユーザのキー操作に頼ることなく簡単かつ迅速に起動できるようにして、操作性の向上を図る。【解決手段】自動起動モードが設定された状態で、シェルが第２の状態（３６０°オープン）に設定されたことが検出されたとき、ＴＶ受信機３０及びＴＶ表示アプリケーション・プログラムを起動して、メインディスプレイ５ａにＴＶ映像信号を表示する。また、メインディスプレイ５ａの全表示領域を使用してＴＶ映像信号を表示する全画面表示モードと、メインディスプレイ５ａの表示領域をＴＶ映像表示領域と付加情報表示領域とに分けて表示を行う部分画面表示モードとを備え、ＴＶ映像信号をメインディスプレイ５ａに表示する際に、シェルの姿勢に応じて上記各表示モードを選択的に使用してＴＶ映像信号を表示する。【選択図】      図６
2006211394.tif 000002
【特許請求の範囲】
【請求項１】
第１の筐体に対し表示部を備える第２の筐体を接続機構により回動可能に接続し、前記第１の筐体に対する第２の筐体の姿勢を、前記表示部が内向きの状態で前記筐体同士が重なり合う第１の状態と、前記表示部が外向きの状態で前記筐体同士が重なり合う第２の状態と、前記第１の状態と第２の状態との中間の状態で前記表示部が露出する第３の状態に、選択的に設定可能な携帯端末装置であって、
映像信号を受信又は記録媒体から読み出して前記表示部に表示する映像表示手段と、
前記第１の筐体に対する第２の筐体の姿勢の変化を検出する姿勢判定手段と、
前記姿勢判定手段によって前記第１又は第３の状態から前記第２の状態に変化したことが検出された場合に、前記映像表示手段を起動する起動制御手段と
を具備することを特徴とする携帯端末装置。
【請求項２】
前記起動制御手段は、
前記映像表示手段を自動的に起動させる第１の起動モードと、ユーザのキー操作に応じて起動させる第２の起動モードとを択一的に設定する設定手段と、
前記第１の起動モードが設定されている状態で、前記姿勢が前記第１又は第３の状態から前記第２の状態に変化したことが検出された場合に、前記映像表示手段を起動させる起動手段と
を備えることを特徴とする請求項１記載の携帯端末装置。
【請求項３】
前記起動制御手段は、
映像信号の表示終了操作を検出する検出手段と、
前記表示終了操作の検出に応じて、表示終了直前の前記映像信号の表示条件を記憶させる記憶制御手段と、
前記表示終了後に前記映像表示手段を再起動する場合に、当該再起動による映像信号の表示条件を前記記憶された表示条件に基づいて再設定する再設定手段と
を備えることを特徴とする請求項１記載の携帯端末装置。
【請求項４】
第１の筐体に対し表示部を備える第２の筐体を接続機構により回動可能に接続し、前記第１の筐体に対する第２の筐体の姿勢を、前記表示部が内向きの状態で前記筐体同士が重なり合う第１の状態と、前記表示部が外向きの状態で前記筐体同士が重なり合う第２の状態と、前記第１の状態と第２の状態との中間の状態で前記表示部が露出する第３の状態に、選択的に設定可能な携帯端末装置であって、
前記第１の筐体に対する第２の筐体の姿勢を判定する姿勢判定手段と、
前記姿勢判定手段によって前記第２の状態にあると判定された場合に、受信又は記憶された映像信号を前記表示部の全表示領域に表示する第１の表示制御手段と、
前記姿勢判定手段によって前記第３の状態にあると判定された場合に、前記受信又は記憶された映像信号を前記表示部の表示領域のうち限定された第１の部分表示領域に表示する第２の表示制御手段と、
前記姿勢判定手段によって前記第３の状態にあると判定された場合に、前記表示部の表示領域のうち前記第１の部分表示領域を除いた第２の部分表示領域に、付加情報を表示する第３の表示制御手段と
を具備することを特徴とする携帯端末装置。
【請求項５】
前記表示部の表示領域が長方形をなす場合に、
前記第１の表示制御手段は、前記受信又は記憶された映像信号を前記表示部の全表示領域に表示する際に、映像信号の主走査方向が前記全表示領域の長辺方向となるように表示向きを設定し、
前記第２の表示制御手段は、前記受信又は記憶された映像信号を前記表示部の第１の部分表示領域に表示する際に、映像信号の主走査方向が前記全表示領域の短辺方向となるように表示向きを設定することを特徴とする請求項４記載の携帯端末装置。
【請求項６】
前記第２の表示制御手段は、
前記映像信号を前記第１の部分表示領域に表示する部分画面表示モードと、前記映像信号を前記全表示領域に表示する全画面表示モードとを、ユーザの操作に応じて択一的に設定する設定手段と、
前記部分画面表示モードが設定されている場合に、前記映像信号を前記第１の部分表示領域に表示制御し、一方前記全画面表示モードが設定されている場合には、前記映像信号を前記全表示領域に表示制御する第４の表示制御手段と
を備えることを特徴とする請求項４記載の携帯端末装置。
【請求項７】
前記第３の表示制御手段は、前記映像信号の表示動作に係わるガイド情報と、前記携帯端末装置の動作状態に係わるピクト情報との少なくとも一方を表示制御することを特徴とする請求項４記載の携帯端末装置。
【発明の詳細な説明】
【技術分野】
【０００１】
この発明は、例えば携帯電話機やＰＤＡ（Personal Digital Assistant）等の携帯端末装置に係わり、特に第１の筐体と第２の筐体とをヒンジ機構により回動可能に接続した折り畳み型携帯端末装置に関する。
【背景技術】
【０００２】
携帯電話機に代表される携帯端末装置は、第１の筐体と第２の筐体とをヒンジ機構により接続したいわゆる折り畳み型の装置が主流となっている。またこの種の装置の中には、筐体が単に０°〜１８０°の範囲で開閉するものに止まらず、多関節形のヒンジ機構や３６０°に渡り回動するヒンジ機構を備えることにより、筐体同士が重なり合った状態で表示部が外向きになるように構成した装置も開発されている（例えば、特許文献１を参照。）。
【０００３】
一方、テレビジョンチューナを内蔵し、受信されたテレビジョン映像データを表示器に表示する機能を備えた携帯端末装置や、メモリカードやハードディスク等の記録媒体に記憶された録画番組や映画等の映像コンテンツを再生する機能を備えた携帯端末装置も開発されている。この種の装置を使用すれば、移動通信を行っていない時間帯を利用して、テレビジョン番組を視聴したり、また映像コンテンツを再生するなどして楽しむことが可能となり、携帯端末装置の用途をさらに拡げることができる。
【特許文献１】特開２００２−１４１９８４公報
【発明の開示】
【発明が解決しようとする課題】
【０００４】
ところが、上記テレビジョン受信機能や映像コンテンツ再生機能を備えた従来の携帯端末装置は、一般に移動通信機能を主たる機能とし、テレビジョン受信機能や映像コンテンツ再生機能を付加機能として動作させるようにしている。このため、テレビジョン受信機能や映像コンテンツ再生機能を動作させる場合には、ユーザがメニュー画面からこれらの機能メニューをキー操作により選択する必要があり、その操作がきわめて煩雑だった。
【０００５】
この発明は上記事情に着目してなされたもので、その目的とするところは、テレビジョン受信機能や映像コンテンツ再生機能等の映像表示機能をユーザのキー操作に頼ることなく簡単かつ迅速に起動できるようにし、これにより操作性の向上を図った携帯端末装置を提供することにある。
【課題を解決するための手段】
【０００６】
上記目的を達成するためにこの発明は、第１の筐体に対し表示部を備える第２の筐体を接続機構により回動可能に接続し、上記第１の筐体に対する第２の筐体の姿勢を、上記表示部が内向きの状態で上記筐体同士が重なり合う第１の状態と、上記表示部が外向きの状態で上記筐体同士が重なり合う第２の状態と、上記第１の状態と第２の状態との中間の状態で上記表示部が露出する第３の状態に、選択的に設定可能な携帯端末装置を前提とする。そして、映像信号を受信又は記録媒体から読み出して上記表示部に表示する映像表示手段と、上記第１の筐体に対する第２の筐体の姿勢の変化を検出する姿勢判定手段と、起動制御手段とを備え、上記姿勢判定手段により上記第１又は第３の状態から上記第２の状態に変化したことが検出された場合に、上記映像表示手段を起動するようにしたものである。
【発明の効果】
【０００７】
したがってこの発明によれば、第１の筐体に対する第２の筐体の姿勢を、第１又は第３の状態から上記第２の状態に変化させたときに、映像表示手段が自動的に起動される。このため、例えばテレビジョン受信機能や映像コンテンツ再生機能のアプリケーションを起動させようとする場合に、ユーザは筐体を開いて第３の姿勢にするだけでよくなる。したがって、筐体を開いたのちメニュー画面においてキー操作によりメニュー選択を行う必要があった従来の装置に比べ、操作性が格段に向上する。  
すなわち、この発明によれば、テレビジョン受信機能や映像コンテンツ再生機能等の映像表示機能をユーザのキー操作に頼ることなく簡単かつ迅速に起動することができ、これにより操作性の向上を図った携帯端末装置を提供することができる。
【発明を実施するための最良の形態】
【０００８】
以下、図面を参照してこの発明に係わる携帯端末装置の一実施形態を説明する。  
図１乃至図５は、この発明の一実施形態に係わる携帯電話機の外観を示す図である。この携帯電話機は、上部筐体１と下部筐体２とを多関節形のヒンジ機構３を介して接続したいわゆる折り畳み型の携帯通信端末である。なお、以後第１及び第２の筐体１，２をシェルと呼称する。
【０００９】
第１のシェル１の前面には、入力デバイスと、マイクロホン用の孔部８が設けられている。入力デバイスは、ダイヤルキー６と、機能キー群４と、サイドキー７ａ及びＴＶキー７ｃとから構成され、このうちサイドキー７ａ及びＴＶキー７ｃは第１のシェル１の側面に設けられている。機能キー群４は、発信キー、終了キー、スケジュールキー、クリアキー、及びカーソルキーの機能を有するマルチファンクションキーを備える。ＴＶキー７ｃは、テレビジョン受信機能を起動させるために使用される。
【００１０】
第２のシェル２には、その前面にメインディスプレイ５ａとスピーカ用の孔部９が設けられ、また背面にサブディスプレイ５ｂとカメラ（図示せず）が設けられている。メインディスプレイ５ａ及びサブディスプレイ５ｂはいずれも液晶（ＬＣＤ；Liquid Crystal Display）パネルの裏面側にバックライトを配置したもので、メインディスプレイ５ａは電話帳データ、テレビジョン映像データ、カメラ映像データ、メールデータ、ピクト情報等の全ての表示対象データを表示するために使用され、一方サブディスプレイ５ｂは主としてピクト情報を表示するために使用される。
【００１１】
多関節形のヒンジ機構３は、第１のシェル１に対し第２のシェル２を矢印Ａ方向に回動させる機能と、第１のシェル１に対し第２のシェル２を矢印Ｂ方向に首振り回動させる機能とを備える。この多関節形のヒンジ機構３により、次のようなシェル１，２の姿勢変化が可能である。
【００１２】
すなわち、図１（ａ），（ｂ）はメインディスプレイ５ａが内向きの状態でシェル１，２同士を重ね合わせた状態（第１の状態）であり、図２（ａ），（ｂ）は第１のシェル１に対し第２のシェル２を矢印Ａ方向に１６０°回動させてダイヤルキー６、機能キー群４及びメインディスプレイ５ａを露出させた状態（第３の状態）である。また、図３（ａ），（ｂ）は上記第３の状態から第２のシェル２を矢印Ｂ方向に９０°首振り回動させた状態（第４の状態）、図４（ａ），（ｂ）は上記第４の状態から第２のシェル２を矢印Ａ方向に回動させて９０°に折曲させた状態（第５の状態）であり、図５（ａ），（ｂ）は上記第５の状態からさらに第２のシェル２を矢印Ｂ方向に９０°首振り回動させたのち矢印Ａ方向に回動させ、これによりメインディスプレイ５ａが外向きの状態でシェル１，２同士を重ね合わせた状態（第２の状態）である。なお、これら図１乃至図５において、（ａ）は正面図、（ｂ）は側面図をそれぞれ示している。
【００１３】
また、第１のシェル１及び第２のシェル２には、シェル１，２の姿勢を検出するためのセンサ１０ａ〜１０ｄが設けられている。これらのセンサ１０ａ〜１０ｄは例えば磁気センサにより構成され、センサ同士が一定の距離内で接近した状態で検出信号を出力する。上記各センサ１０ａ〜１０ｄのうち、センサ１０ａと１０ｂとの対は、第１及び第２のシェル１，２が重なり合う状態、つまり先に述べた第１の状態又は第２の状態になっているか、或いはその他の状態になっているかを判定するために使用される。また、センサ１０ｃと１０ｄとの対は、第１の状態であるか或いは第２の状態であるかを判定するために使用される。
【００１４】
一方、携帯電話機の回路は次のように構成される。図６はその回路構成を示すブロック図である。  
すなわち、図示しない基地局から送信された無線信号は、アンテナ１１で受信されたのちアンテナ共用器（ＤＵＰ）１２を介して受信回路（ＲＸ）１３に入力される。受信回路１３は、上記受信された無線信号を周波数シンセサイザ（ＳＹＮ）１４から出力された局部発振信号とミキシングして中間周波信号に周波数変換（ダウンコンバート）する。そして、このダウンコンバートされた中間周波信号を直交復調して受信ベースバンド信号を出力する。なお、上記周波数シンセサイザ１４から発生される局部発振信号の周波数は、制御ユニット２３から出力される制御信号ＳＹＣによって指示される。
【００１５】
上記受信ベースバンド信号はＣＤＭＡ信号処理ユニット１６に入力される。ＣＤＭＡ信号処理ユニット１６はＲＡＫＥ受信機を備える。ＲＡＫＥ受信機では、上記受信ベースバンド信号に含まれる複数のパスがそれぞれ拡散符号により逆拡散処理される。そして、この逆拡散処理された各パスの信号が位相を調停されたのち合成される。かくして、所定の伝送フォーマットの受信パケットデータが得られる。この受信パケットデータは圧縮伸長処理ユニット（以後コンパンダと称する）１７に入力される。
【００１６】
コンパンダ１７は、上記ＣＤＭＡ信号処理ユニット１６から出力された受信パケットデータを多重分離部によりメディアごとに分離する。そして、この分離されたメディアごとのデータに対しそれぞれ復号処理を行う。例えば、通話モードにおいては、受信パケットデータに含まれている通話音声などのオーディオデータをスピーチコーデックにより復号する。またテレビジョン電話モードのように、受信パケットデータにビデオデータが含まれていれば、このビデオデータをビデオコーデックにより復号する。
【００１７】
上記復号処理により得られたディジタルオーディオ信号はＰＣＭ符号処理ユニット（以後ＰＣＭコーデックと称する）１８に供給される。ＰＣＭコーデック１８は、コンパンダ７から出力されたディジタルオーディオ信号をＰＣＭ復号してアナログオーディオ信号を出力する。このアナログオーディオ信号は、受話増幅器１９にて増幅されたのちスピーカ２０より出力される。
【００１８】
なお、オーディオ再生モードが設定されている場合には、制御ユニット２３は記憶ユニット２４から該当するオーディオコンテンツを読み出し、このオーディオコンテンツを復号処理したのち上記ＰＣＭコーデック１８及び受話増幅器１９を介してスピーカ２０から拡声出力する。
【００１９】
上記コンパンダ１７により復号されたディジタルビデオ信号は、制御ユニット２３に入力される。制御ユニット２３は、上記コンパンダ１７から出力されたディジタルビデオ信号を、ビデオＲＡＭを介してメインディスプレイ５ａに表示する。なお、制御ユニット２３は、受信されたビデオデータばかりでなく、図示しないカメラにより撮像されたビデオデータについてもビデオＲＡＭを介してメインディスプレイ５ａに表示する。
【００２０】
また上記コンパンダ１７は、受信パケットが電子メールの場合には、この電子メールを制御ユニット２３に供給する。制御ユニット２３は、上記電子メールを記憶ユニット２４に保存する。そして、入力デバイス５においてユーザが行った表示操作に応じて、記憶ユニット２４から上記電子メールを読み出し、この電子メールをメインディスプレイ５ａに表示する。なお、サブディスプレイ５ｂには、装置の動作モードを表す情報や、着信の報知情報、バッテリ２６の残量又は充電状態を表す情報が表示される。
【００２１】
一方、通話モードにおいて、マイクロホン２１に入力された話者の音声信号は、送話増幅器２２により適正レベルまで増幅されたのち、ＰＣＭコーデック１８によりＰＣＭ符号化処理が施されてディジタルオーディオ信号となり、コンパンダ１７に入力される。また、図示しないカメラから出力されるビデオ信号は、制御ユニット２３によりディジタル化されてコンパンダ１７に入力される。なお、制御ユニット２３において作成された電子メールも、制御ユニット２３からコンパンダ１７に入力される。
【００２２】
コンパンダ１７は、ＰＣＭコーデック１８から出力されたディジタルオーディオ信号より入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御ユニット２３から出力されたディジタルビデオ信号を符号化してビデオデータを生成する。そして、これらのオーディオデータ及びビデオデータを多重分離部で所定の伝送フォーマットに従いパケット化し、この送信パケットデータをＣＤＭＡ信号処理ユニット１６へ出力する。なお、制御ユニット２３から電子メールが出力された場合にも、この電子メールを上記送信パケットデータに多重化する。
【００２３】
ＣＤＭＡ信号処理ユニット１６は、上記コンパンダ１７から出力された送信パケットデータに対し、送信チャネルに割り当てられた拡散符号を用いてスペクトラム拡散処理を施す。そして、その出力信号を送信回路（ＴＸ）１５へ出力する。送信回路１５は、上記スペクトラム拡散された信号をＱＰＳＫ（Quadrature Phase Shift Keying）方式等のディジタル変調方式を使用して変調する。そして、この変調により生成された送信信号を、周波数シンセサイザ１４から発生される局部発振信号と合成して無線信号に周波数変換する。そして、制御ユニット２３により指示される送信電力レベルとなるように上記無線信号を高周波増幅する。この増幅された無線信号は、アンテナ共用器１２を介してアンテナ１１に供給され、このアンテナ１１から基地局へ向けて送信される。
【００２４】
また、この実施形態の携帯電話機はテレビジョン受信機（ＴＶ受信機）３０を備えている。ＴＶ受信機３０は、例えば地上波テレビジョン映像信号をアンテナ３１を介して受信し、受信されたテレビジョン映像信号をディジタル信号に変換する。このテレビジョン映像信号は、制御ユニット２３によりメインディスプレイ５ａに表示される。
【００２５】
さらに、この実施形態の携帯電話機は外部メモリインタフェース２７を備えている。この外部メモリインタフェース２７は、メモリカード２８を着脱することが可能なスロットを備える。そして、制御ユニット２３の制御の下、スロットに挿着されたメモリカード２８から映像コンテンツデータを読み出す。制御ユニット２３は上記読み出された映像コンテンツデータを復号再生してメインディスプレイ５ａに表示する。
【００２６】
なお、２５はバッテリを、また２６は電源回路を示す。電源回路は、バッテリ２５の出力をもとに所定の動作電源電圧Ｖccを生成して各回路部に供給する。バッテリ２５は図示しない充電回路により充電される。また記憶ユニット２４は、例えばＥＥＰＲＯＭ又はハードディスクを記憶媒体として使用したものである。
【００２７】
ところで、制御ユニット２３は例えばマイクロコンピュータ（ＣＰＵ；Central Processing Unit）を備えたもので、この発明に係わる制御機能として、姿勢判定機能２３ａと、ＴＶ起動制御機能２３ｂと、ＴＶ映像表示制御機能２３ｃとを有している。なお、これらの機能はいずれもプログラムを上記マイクロコンピュータに実行させることにより実現される。
【００２８】
姿勢判定機能２３ａは、センサ群１１ａ〜１１ｄから出力される検出信号をもとに、第１のシェル１と第２のシェル２の姿勢を判定する。例えば、センサ１０ａ，１０ｂの検出信号をもとに、第１及び第２のシェル１，２の姿勢が第１の状態（図１（ａ），（ｂ））又は第２の状態（図５（ａ），（ｂ））になっているか、或いはその他の状態（例えば図２（ａ），（ｂ）に示す第３の状態）になっているかを判定する。また、センサ１０ｃ，１０ｄの検出信号をもとに、シェル１，２の姿勢が第１の状態（図１（ａ），（ｂ））になっているか或いは第２の状態（図５（ａ），（ｂ））になっているかを判定する。
【００２９】
ＴＶ起動制御機能２３ｂは、ＴＶ起動モードとして手動起動モードと自動起動モードとを有し、ユーザの選択操作に応じてこれらのモードを択一的に設定する。そして、自動起動モードが設定されている状態で、上記姿勢判定機能２３ａによりシェル１，２の姿勢が第２の状態（図５（ａ），（ｂ））になったと判定された場合に、ＴＶ受信機３０を自動的に起動する。
【００３０】
ＴＶ映像表示制御機能２３ｃは、上記ＴＶ受信機３０により受信されたテレビジョン映像信号をメインディスプレイ５ａに表示する際に、上記姿勢判定機能２３ａによるシェル姿勢の判定結果に基づいて全画面表示モードと部分画面表示モードのいずれかを選択する。例えば、シェル１，２の姿勢が第２の状態（図５（ａ），（ｂ））のときには、全画面表示モードを選択する。そして、メインディスプレイ５ａの全表示領域をテレビジョン映像表示領域に設定して、この全表示領域にテレビジョン映像信号を横長表示する。
【００３１】
一方、シェル１，２の姿勢が第３の状態（図２（ａ），（ｂ））のときには、部分画面表示モードを選択する。そして、メインディスプレイ５ａの縦方向の中央部分にＴＶ映像表示領域５１を設定し、このＴＶ映像表示領域５１にテレビジョン映像信号を表示する。またそれと共に、メインディスプレイ５ａの縦方向の上端部分及び下端部分にそれぞれ付加情報表示領域５２ａ，５２ｂを設定し、これらの付加情報表示領域５２ａ，５２ｂにピクト情報及びガイド情報を表示する。
【００３２】
次に、以上のように構成された携帯電話機によるテレビジョン映像信号の受信・表示動作を説明する。図７及び図８は、制御ユニット２３による制御手順と制御内容を示すフローチャートである。  
第１及び第２のシェル１，２が閉じられた状態（図１（ａ），（ｂ）に示す第１の状態）において、制御ユニット２３はステップ８ａによりシェル１，２のオープン操作を監視している。この監視は、センサ１０ａ，１０ｂの検出信号をもとに行われる。
【００３３】
この状態で、ユーザが第１及び第２のシェル１，２を開いたとする。制御ユニット２３は、上記センサ１０ａ，１０ｂの検出信号によりシェル１，２が開かれたことを認識すると、先ずステップ８ｂにより着信報知動作中か否かを判定する。そして、着信報知動作中であれば上記シェル１，２のオープン操作が着信応答のための操作であると判断して着信応答処理に移行する。
【００３４】
一方、着信報知動作中でなければ、制御ユニット２３は続いてステップ８ｃによりシェル１，２の姿勢を判定する。このシェル１，２の姿勢の判定は、姿勢判定機能２３ａによりセンサ１０ａ〜１０ｄの検出信号をもとに行われる。例えば、センサ１０ａ，１０ｂの検出信号及びセンサ１０ｃ，１０ｄの検出信号がいずれも“Ｌ”であれば、シェル１，２は図２（ａ），（ｂ）に示す第３の状態、図３（ａ），（ｂ）に示す第４の状態、又は図４（ａ），（ｂ）に示す第５の状態のいずれかであると判定する。ただし、一般的には第４又は第５の状態で使用することはほとんどないので、第３の状態（１６０°オープン）と判定する。これに対し、センサ１０ａ，１０ｂの検出信号が“Ｌ”で、かつセンサ１０ｃ，１０ｄの検出信号が“Ｈ”であれば、シェル１，２は図５（ａ），（ｂ）に示す第２の状態、つまりメインディスプレイ５ａを外向きにしてシェル１，２を重ね合わせた状態（３６０°オープン）であると判定する。
【００３５】
（１）シェルが第２の状態（３６０°）に開かれた場合  
先ず、オープン操作後のシェル１，２の姿勢が図５（ａ），（ｂ）に示す第２の状態（３６０°オープン）である場合について説明する。  
この場合制御ユニット２３は、ステップ８ｊに移行し、ここで先ず起動モードとして手動起動モードが設定されているか或いは自動起動モードが設定されているかを判定する。この判定の結果、自動起動モードが設定されていたとすると、制御ユニット２３は次にステップ８ｋにより前回の視聴において使用された受信表示条件が保存されているか否かを判定する。そして、前回の受信表示条件が保存されていると、ステップ８ｍにおいて上記保存された受信表示条件に従いＴＶ受信機３０を起動すると共に、ＴＶ表示用のアプリケーション・プログラムを起動する。これに対し、前回の受信表示条件が保存されていない場合には、ステップ８ｎにおいて出荷時に設定された受信表示条件のデフォルト値に従い、ＴＶ受信機３０を起動すると共にＴＶ表示用のアプリケーション・プログラムを起動する。すなわち、自動起動モードが設定されている場合には、シェル１，２の３６０°オープン操作によりＴＶ受信・表示機能が自動的に起動される。なお、ここでいう前回の受信表示条件とは、地域によるチャンネルの設定、前回視聴していた音量の設定、前回視聴していたチャンネルの情報等を指す。
【００３６】
そうして、ＴＶ受信機３０及びＴＶ表示用アプリケーション・プログラムが起動されると、制御ユニット２３は続いてステップ８ｏに移行し、ここで上記ＴＶ受信機３０により受信されたＴＶ映像信号をメインディスプレイ５ａに表示する。このときの表示モードとしては全画面表示モードが使用される。すなわち、メインディスプレイ５ａの全表示領域がＴＶ映像表示画面として設定される。そして、ＴＶ映像信号の主走査方向が上記全表示領域の長辺方向と一致するように、ＴＶ映像信号の表示向きが設定される。かくして、メインディスプレイ５ａにはＴＶ映像信号が横長に全画面表示される。図９にその表示結果の一例を示す。
【００３７】
なお、このＴＶ映像信号の全画面表示が行われている状態において、音量やチャネルの情報は、音量調整操作或いはチャネル切り替え操作が行われた場合に一定時間（例えば２秒）のみＴＶ映像に重畳されて表示される。また、上記ＴＶ映像信号の全画面表示が行われている状態で着信が発生した場合には、着信報知情報（例えばアイコン）が上記ＴＶ映像に重畳されて表示される。
【００３８】
これに対し、起動モードとして手動起動モードが設定されている場合には、制御ユニット２３はステップ８ｘに移行してＴＶ起動操作を監視する。この状態でユーザがＴＶキー７ｃを操作すると、制御ユニット２３はステップ８ｋに移行し、ここで前回の視聴において使用された受信表示条件が保存されているか否かを判定する。そしてその判定結果に応じて、ステップ８ｍ又はステップ８ｎによりＴＶ受信機３０及びＴＶ表示用のアプリケーション・プログラムを起動する。すなわち、手動操作によるＴＶ受信・表示機能の起動が行われる。
【００３９】
なお、手動起動モードにおいては、図示しない電子番組表アプリケーションを起動させ、そのアプリケーションによってメインディスプレイ５ａに表示された電子番組表が表示された状態で番組を選択すると、ＴＶ受信機３０を起動し、選択された番組に対応するチャンネル情報に相当したチャンネルにて起動させることもできる。
【００４０】
（２）シェルが第３の状態（１６０°）に開かれた場合  
次に、オープン操作後のシェル１，２の姿勢が図２（ａ），（ｂ）に示す第３の状態（１６０°オープン）である場合について説明する。  
この場合制御ユニット２３は、ステップ８ｄに移行してメインディスプレイ５ａに待ち受け画面表示し、ここでメニューの選択操作を監視する。この状態で、ユーザがメニュー画面を開いたのち、複数のメニューの中からＴＶ受信メニューを選択操作したとする。そうすると制御ユニット２３は、ステップ８ｆにより上記選択されたメニューの種別を判定し、ＴＶ受信メニューであれば、ステップ８ｇによりＴＶ受信機３０及びＴＶ表示用アプリケーション・プログラムを起動する。なおこのとき、前回の視聴において使用された受信表示条件が保存されている場合には、上記ＴＶ受信機３０及びＴＶ表示用アプリケーション・プログラムは上記保存された受信表示条件に従い起動される。
【００４１】
そうしてＴＶ受信機３０及びＴＶ表示用アプリケーション・プログラムが起動されると、制御ユニット２３は続いてステップ８ｈに移行し、ここで上記ＴＶ受信機３０により受信されたＴＶ映像信号をメインディスプレイ５ａに表示する。このときの表示モードとしては部分画面表示モードが使用される。
【００４２】
すなわち、図１０に示すようにメインディスプレイ５ａの全表示領域のうち、縦方向の中央部分にＴＶ映像表示領域５１が設定される。そして、ＴＶ映像信号の主走査方向が上記全表示領域の短辺方向と一致するようにＴＶ映像信号の表示向きが設定される。かくして、全表示領域の中央部分に設定されたＴＶ映像表示領域５１にＴＶ映像信号が表示される。
【００４３】
またそれと共に制御ユニット２３は、ステップ８ｉによりメインディスプレイ５ａの全表示領域の上端部分及び下端部分にそれぞれ付加情報表示領域５２ａ，５２ｂを設定する。そして、これらの付加情報表示領域５２ａ，５２ｂにピクト情報及びガイド情報を表示する。ピクト情報としては、例えば図１０に示すように、受信電界強度及びバッテリ残量を表す情報や現在時刻が表示される。またガイド情報としては、音量を表す情報及びチャネル情報の他、ＴＶ受信に係わる複数のメニューが表示される。このメニューには、図１０に示すように「録画」、「メニュー」、「ＥＰＧ」、「文字表示縦横切替」、「スピーカ出力」が含まれる。
【００４４】
（３）ＴＶ受信表示動作中の各種動作  
一方、上記ＴＶ受信表示動作中に制御ユニット２３は以下の処理を実行する。図８はその制御手順と制御内容を示すフローチャートである。  
すなわち、制御ユニット２３は、ステップ８ｐで着信の発生を監視しながら、ステップ８ｑ及びステップ８ｒでそれぞれ受信表示条件の変更操作及びシェル１，２の姿勢変化を監視し、さらにステップ８ｓでＴＶ受信終了操作を監視している。この状態で、音量やチャネル等の受信表示条件の変更操作が行われると、制御ユニット２３はステップ８ｔにより上記変更操作に応じて受信表示条件の変更処理を実行する。
【００４５】
一方、シェル１，２の姿勢の変化が検出されたとする。この姿勢変化は、先に述べたようにセンサ１０ａ〜１０ｄの検出信号をもとに検出される。この場合制御ユニット２３は、ステップ８ｗに移行してここで姿勢の変化方向を判定する。そして、シェル１，２の姿勢の変化方向が３６０°から１６０°であれば、シェル１，２の姿勢が図５（ａ），（ｂ）に示す第２の状態から例えば図２（ａ），（ｂ）に示す第３の状態に変化したと判断し、図７のステップ８ｈ及びステップ８ｉに移行して部分画面表示モードによる表示制御を実行する。
【００４６】
すなわち、ステップ８ｈでは、メインディスプレイ５ａの表示領域のうち、縦方向の中央部分にＴＶ映像表示領域５１が設定され、このＴＶ映像表示領域５１にＴＶ映像信号が表示される。またそれと共に、ステップ８ｉではメインディスプレイ５ａの全表示領域の上端部分及び下端部分にそれぞれ付加情報表示領域５２ａ，５２ｂが設定され、この付加情報表示領域５２ａ，５２ｂにピクト情報及びガイド情報が表示される。
【００４７】
換言すると、シェル１，２の姿勢が図５（ａ），（ｂ）に示す第２の状態から図２（ａ），（ｂ）に示す第３の状態に変化した場合には、メインディスプレイ５ａにおけるＴＶ映像信号の表示モードは全画面表示モードから部分画面表示モードに切り替えられ、かつＴＶ映像信号の表示向きは縦横変換される。さらに、付加情報表示領域５２ａ，５２ｂに、受信電界強度及びバッテリ残量等のピクト情報と、音量やチャネルを表す情報及びＴＶ受信に係わる複数のメニューが表示される。
【００４８】
これに対し、シェル１，２の姿勢が１６０°から３６０°に変化したとする。この場合、制御ユニット２３はシェル１，２の姿勢が図２（ａ），（ｂ）に示す第３の状態から図５（ａ），（ｂ）に示す第２の状態に変化したと判断し、図７のステップ８ｏに移行して全画面表示モードによる表示制御を実行する。すなわち、メインディスプレイ５ａの全表示領域がＴＶ映像表示画面として設定される。そして、ＴＶ映像信号の主走査方向が上記全表示領域の長辺方向と一致するようにＴＶ映像信号の表示向きが変更される。  
したがって、シェル１，２の姿勢が１６０°から３６０°に変化した場合には、メインディスプレイ５ａにおいてＴＶ映像信号は縦横変換されたのち、メインディスプレイ５ａの全表示領域に全画面表示される。
【００４９】
また、ＴＶ受信終了操作が行われると、制御ユニット２３はステップ８ｓからステップ８ｕに移行し、ここで終了操作直前の受信表示条件を制御ユニット２３内のメモリに保存する。そして、ステップ８ｖによりＴＶ表示用のアプリケーション・プログラムを終了したのち、ＴＶ受信機３０の動作を停止させる。上記制御ユニット２３内のメモリに保存された受信表示条件は、次回ＴＶ受信・表示機能の起動操作が行われたときの、ＴＶ受信機３０及びＴＶ表示用のアプリケーション・プログラムを起動させるための初期動作条件として使用される。
【００５０】
なお、上記ＴＶ受信表示動作中に着信が発した場合には、次のような処理が行われる。なお、着信には、電話着信と電子メールの受信とが含まれる。  
すなわち、ＴＶ受信表示動作中に着信が発生すると、制御ユニット２３は先ず現在のシェル１，２の姿勢が第３の状態（１６０°オープン）であるか又は第２の状態（３６０°オープン）であるかを判定する。この判定の結果、シェル１，２の姿勢が第３の状態（１６０°オープン）だったとすると、メインディスプレイ５ａの付加情報表示領域５２ａに着信が発生した旨のメッセージ又はアイコン（着信報知情報）を表示する。そして、この着信報知情報の表示開始から一定時間（例えば２秒）が経過すると、上記付加情報表示領域５４ａに発信者名を表示する。なお、この発信者名の表示は、着信データに含まれる発信元の電話番号又はアドレスをもとに記憶ユニット２４内の電話帳メモリから該当する発信者情報を読み出すことにより可能となる。そして、以後上記着信報知情報の表示と、発信者名の表示とが２秒間隔で繰り返される。
【００５１】
一方、シェル１，２の姿勢が第２の状態（３６０°オープン）だったとする。この場合制御ユニット２３は、先ず記憶ユニット２４内に設けられている留守記録エリアに空きの記憶領域があるか否かを判定する。そして、空き領域がない場合には、着信が発生した旨のメッセージ又はアイコンの表示データ（着信報知データ）を生成し、この生成された着信報知データをＴＶ映像データに重畳してメインディスプレイ５ａに表示する。なお、上記着信報知情報の表示開始から一定時間（例えば２秒）が経過すると発信者名が表示され、以後２秒間隔で上記着信報知情報の表示と発信者名の表示とが繰り返される点は、先に述べた１６０°オープンの場合と同様である。
【００５２】
また、上記シェル１，２の姿勢が第２の状態（３６０°オープン）の場合で、留守記録エリアに空き領域が存在する場合には、留守録音のための処理がさらに行われる。すなわち、先ず着信が発生した旨のメッセージ又はアイコンの表示データを、表示中のＴＶ映像データに重畳してメインディスプレイ５ａに表示し、この表示開始から一定時間（例えば２秒）が経過した後に発信者名を表示する。続いて、さらに一定時間（例えば２秒）が経過すると、留守録音操作のためのガイド情報を生成して、この生成されたガイド情報をＴＶ映像データに重畳してメインディスプレイ５ａに表示する。以後、２秒間隔で上記着信報知情報の表示と、発信者名の表示と、留守録音操作のためのガイド情報の表示とが繰り返される。なお、ガイド情報にはアイコンが使用される。
【００５３】
そして、上記繰り返し表示動作が行われている状態で、ユーザが例えばサイドキー７ｂを一定時間以上連続して押下したとする。つまり、サイドキー７ｂを長押ししたとする。そうすると制御ユニット２３は、図示しない留守応答制御機能により、着信応答処理を行ったのち留守録音を促すガイダンスメッセージを発信者へ送信する。そして、発信者から送られる伝言メッセージを記憶ユニット２４内の留守記録エリアに記憶する。
【００５４】
以上述べたようにこの実施形態では、次のような各種作用効果が奏せられる。  
（１）シェル１，２が第２の状態（３６０°オープン）に設定されたことが検出されたとき、ＴＶ受信機３０及びＴＶ表示アプリケーション・プログラムを起動して、メインディスプレイ５ａにＴＶ映像信号を表示するようにしている。  
したがって、シェル１，２の３６０°オープン操作に応じてＴＶ受信・表示機能が自動的に起動されため、ＴＶ映像を視聴する際のユーザの操作性を格段に高めることができる。
【００５５】
（２）ＴＶ受信・表示機能の起動モードとして、自動起動モードと手動起動モードを用意し、これらの起動モードをユーザがキー入力操作により任意に設定できるようにしている。  
このため、ユーザの使用形態に応じて、シェル１，２の３６０°オープン操作に応じＴＶ受信・表示機能が自動的に起動されないようにすることも可能となる。
【００５６】
（３）ＴＶ受信・表示機能の終了操作が行われた場合に、この終了操作直前に使用されていたチャネルや音量などの受信表示条件をメモリに保存する。そして、次回のＴＶ受信・表示機能の起動時に、上記保存された受信表示条件に基づいてＴＶ受信表示動作を開始するようにしている。  
したがって、ユーザはＴＶ受信・表示機能を起動させるごとにチャネルの選択や音量調整を行う必要がなくなり、これにより操作性をさらに高めることができる。
【００５７】
（４）ＴＶ映像信号をメインディスプレイ５ａに表示する際に、シェル１，２が第２の状態（３６０°オープン）に設定されたときには、メインディスプレイ５ａの全表示領域をＴＶ映像表示画面として設定し、かつＴＶ映像信号の主走査方向が上記全表示領域の長辺方向と一致するようにＴＶ映像信号の表示向きを設定する。これに対し、シェル１，２が第３の状態（１６０°オープン）に設定されたときには、メインディスプレイ５ａの全表示領域のうち、縦方向の中央部分にＴＶ映像表示領域５１を設定し、かつＴＶ映像信号の主走査方向が上記全表示領域の短辺方向と一致するようにＴＶ映像信号の表示向きを設定する。またそれと共に、メインディスプレイ５ａの全表示領域の上端部分及び下端部分にそれぞれ付加情報表示領域５２ａ，５２ｂを設定し、これらの付加情報表示領域５２ａ，５２ｂにピクト情報及びガイド情報を表示するようにしている。
【００５８】
したがって、シェル１，２がオープンされたときの姿勢に応じて、それぞれ最適な形態でＴＶ映像信号を表示することができる。すなわち、第２の状態（３６０°オープン）は主としてＴＶ視聴用に使用される。このため、メインディスプレイ５ａの全表示領域をフルに使用してＴＶ映像信号を表示することにより、視認性のよい表示動作を行える。これに対し第３の状態（１６０°オープン）では、一般に移動通信やカメラ撮影等の携帯電話機が備える既存の用途と、ＴＶ視聴の用途とが併用される。このため、ＴＶ映像表示領域５１においてＴＶ映像信号の表示を行いながら、付加表示領域５２ａ，５２ｂにおいてピクト情報やガイド情報を併せて表示することにより、ユーザの利便性を高めることができる。
【００５９】
なお、この発明は上記実施形態に限定されるものではない。例えば、前記実施形態では多関節形のヒンジ機構３を採用した携帯電話機を例にとって説明したが、一方向に３６０°回動する単軸タイプのヒンジ機構を採用した携帯端末装置にも、この発明は適用可能である。
【００６０】
また、前記実施形態ではＴＶ受信表示動作を例にとって説明したが、他に記憶媒体に記憶された映像コンテンツを読み出して表示する場合にもこの発明は適用できる。例えば、シェル１，２が第２の状態（３６０°オープン）に開かれたことが検出されると、制御ユニット２３内は外部メモリインタフェース２７を介してメモリカード２８から映像コンテンツを読み込む。そして、この映像コンテンツを復号したのち、図９に示した例と同様にメインディスプレイ５ａの全表示領域を使用して表示する。
【００６１】
また、シェル１，２が第３の状態（１６０°オープン）のときには、図１０に示した例と同様に、復号された映像コンテンツをメインディスプレイ５ａの部分表示領域５１に表示する。またそれと共に、メインディスプレイ５ａの付加表示領域５２ａ，５２ｂに、携帯電話機の動作状態を表すピクト情報と、上記映像コンテンツの再生に係わるガイド情報を表示する。  
なお、映像コンテンツは、メモリカード２８等の外部メモリから読み込む以外に、記憶ユニット２４から読み込んで表示するようにしてもよい。
【００６２】
さらに、前記実施形態では第３の状態（１６０°オープン）のときに、メインディスプレイ５ａの表示領域をＴＶ映像表示領域５１と付加情報表示領域５２ａ，５２ｂとに分けるようにした。しかしそれに限らず、このような部分画面表示モードの他に、ＴＶ映像信号をメインディスプレイ５ａの全表示領域に表示する全画面表示モードを設け、ユーザの操作に応じて上記部分画面表示モードと全画面表示モードとを選択的に使用できるようにしてもよい。
【００６３】
その他、携帯端末装置の種類や構成、ＴＶ映像信号を表示するディスプレイの形状やＴＶ映像表示領域５１及び付加情報表示領域５２ａ，５２ｂの位置とサイズ、付加情報表示領域５２ａ，５２ｂに表示するピクト情報及びガイド情報の種類や表示形態等についても、この発明の要旨を逸脱しない範囲で種々変形して実施できる。
【００６４】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００６５】
【図１】この発明に係わる携帯端末装置の一実施形態である携帯電話機の第１の状態を示す図。
【図２】この発明に係わる携帯端末装置の一実施形態である携帯電話機の第２の状態を示す図。
【図３】この発明に係わる携帯端末装置の一実施形態である携帯電話機の第３の状態を示す図。
【図４】この発明に係わる携帯端末装置の一実施形態である携帯電話機の第４の状態を示す図。
【図５】この発明に係わる携帯端末装置の一実施形態である携帯電話機の第５の状態を示す図。
【図６】この発明に係わる携帯端末装置の一実施形態である携帯電話機の回路構成を示すブロック図。
【図７】図６に示した携帯電話機によるテレビジョン受信・表示制御の手順と内容の前半部分を示すフローチャート。
【図８】図６に示した携帯電話機によるテレビジョン受信・表示制御の手順と内容の後半部分を示すフローチャート。
【図９】図７に示したテレビジョン受信・表示制御に従い、全画面表示モードにより表示されるテレビジョン映像信号の表示例を示す図。
【図１０】図７に示したテレビジョン受信・表示制御に従い、部分画面表示モードにより表示されるテレビジョン映像信号の表示例を示す図。
【符号の説明】
【００６６】
１…第１の筐体（第１のシェル）、２…第２の筐体（第２のシェル）、３…ヒンジ機構、４…機能キー、５ａ…メインディスプレイ、５ｂ…サブディスプレイ、６…ダイヤルキー、７ａ，７ｂ…サイドキー、７ｃ…ＴＶキー、８…マイクロホン用の孔部、９…スピーカ用の孔部、１０ａ〜１０ｄ…センサ、１１…アンテナ、１２…アンテナ共用器（ＤＵＰ）、１３…受信回路（ＲＸ）、１４…周波数シンセサイザ（ＳＹＮ）、１５…送信回路（ＴＸ）、１６…ＣＤＭＡ信号処理ユニット、１７…圧縮伸長処理ユニット（コンパンダ）、１８…ＰＣＭ符号処理ユニット（ＰＣＭコーデック）、１９…受話増幅器、２０…スピーカ、２１…マイクロホン、２２…送話増幅器、２３…制御ユニット、２３ａ…姿勢判定機能、２３ｂ…ＴＶ起動制御機能、２３ｃ…ＴＶ映像表示制御機能、２４…記憶ユニット、２５…バッテリ、２６…電源回路。２７…外部メモリインタフェース、２８…メモリカード、３０…テレビジョン（ＴＶ）受信機、３１…テレビジョン受信用のアンテナ。
【図１】
2006211394.tif 000003
【図２】
2006211394.tif 000004
【図３】
2006211394.tif 000005
【図４】
2006211394.tif 000006
【図５】
2006211394.tif 000007
【図６】
2006211394.tif 000008
【図７】
2006211394.tif 000009
【図８】
2006211394.tif 000010
【図９】
2006211394.tif 000011
【図１０】
2006211394.tif 000012